(57)【要約】      （修正有）【課題】ある程度大型の載置台を備え、かつ安定して設置が可能である載置台機能を有するかばんの提供。【解決手段】かばん０１０１と二枚の板状体により略三角形状の脚を成す。かばんに格納可能な別の二枚の板状体により左側面からの視線によると人の字状の構造体を生成する。これにより板状体が結果として載置台０１０２として機能する。このような構造により、上方からの荷重に耐えることが可能であり、かつ安定した載置台０１０２を構成することが可能である。【選択図】図１
2017185051.tif 000002
【特許請求の範囲】
【請求項１】
表主面側、裏主面側、上側面側、下側面側、左側面側、右側面側からなる略直方体形状のかばんであって、
裏主面側と上側面側との接続辺の領域を第一辺領域、
裏主面側と下側面側との接続辺の領域を第二辺領域
表主面側と上側面側との接続辺の領域を第三辺領域、
表主面側と下側面側との接続辺の領域を第四辺領域、と呼称する場合に、
裏主面側の第一辺領域と第二辺領域とを左側面側からの視線にてＬ字状となるかばんの一部を構成する二枚の板状体で直接又は間接に接続してＬ字横辺を構成する板状体を底辺としてかばんを斜めに立たせ、
左側面側からの視線にて人字状となるかばんの一部を構成する二枚の板状体を、この人字状となる二枚の板状体の人字状の第一画の書き終わりとなる部分をなす辺（左側面側からの視線にて奥行き方向の辺）が前記Ｌ字状となる板状体の縦辺をなす板状体にて支持され、人字状第二画の書き終わりとなる部分を構成する辺（左側面側からの視線にて奥行き方向の辺）が、第三辺領域に直接又は間接に接続され、人字状第二画をなす板状体が結果として載置台に利用可能となる載置台展開機能付きかばん。
【請求項２】
表主面側、裏主面側、上側面側、下側面側、左側面側、右側面側からなる略直方体形状のかばんであって、
裏主面側と上側面側との接続辺の領域を第一辺領域、
裏主面側と下側面側との接続辺の領域を第二辺領域
表主面側と上側面側との接続辺の領域を第三辺領域、
表主面側と下側面側との接続辺の領域を第四辺領域、と呼称する場合に、
裏主面側には裏主面板状体を有し、この裏主面板状体は、裏主面側の第二辺領域にて接続される副裏主面板状体を有し、左側面側からの視線にて略Ｌ字状に展開可能であり、
表主面側には、表主面板状体を有し、表主面板状体の裏側央部にて表主面板状体と略並行に格納された副表主面板状体を有し、第三辺領域を曲げることで表主面板状体を展開した際に副表主面板状体と、これに並行に重ならない領域の表主面板状体の部分とが略同一平面を構成する状態で左側面側からの視線にて人の字状となり、
前記裏主面板状体と接続された副裏主面板状体の第二辺領域と対向する辺が第二辺領域と接続可能に構成され、
前記表主面板状体の第三辺領域に存した辺を前記展開された裏主面板状体の略央部に接続可能であり、
これによって表主面板状体の裏側であって、前記副主面板状体と並行に重なっていた部分が載置台を構成し、前記副表主面板状体が台座面後部に立設される背面を構成し、前記副裏主面板状体が底部面を構成するように構成可能な載置台展開機能付きかばん。
【発明の詳細な説明】
【技術分野】
【０００１】
本件発明は、展開して載置台を設けることが可能なかばんに関する。
【背景技術】
【０００２】
かばんに物を載置する場合には、かばんを設置しその平面部に物を置く態様が考えられる。例えばスーツケースの場合横にして、上面となった正面部または背面部に物を置くと多くの物を載置することが可能である。あるいは、かばんに付属物を取り付けてテーブルのような使用方法が可能な物も存在する。
【先行技術文献】
【特許文献】
【０００３】
【特許文献１】特許第４９７７８００号公報
【発明の概要】
【発明が解決しようとする課題】
【０００４】
特許文献１には下記のような技術が開示されている。該技術は、キャリーバッグのハンドル用の支柱に取り付ける載置台である。支柱に取り付けたアームが載置台につながっており、使用しないときは、キャリーバッグに密着した状態に折りたたむことができる。使用状態では、載置台をアームと共に起こすことで台の上に物品を置くことができる。載置台とアームの角度は自由に変更可能であり、譜面台のように斜めに固定することが可能である。
【０００５】
しかしながら、特許文献１の発明では、載置台はキャリーバッグのハンドルに取り付けるものであり、載置台をある程度の大きさまで大型化しようとすると、キャリーバッグに密着させて格納できなくなるというおそれがある。また、キャリーバッグの大きさにもよるが、載置台が大型化すると物を設置した際にキャリーバッグ自体が不安定となり、屋外で使用する場合には風などで倒れやすくなるといった問題が生ずる。
【０００６】
そこで、本発明の解決すべき課題は、ある程度大型の載置台を備え、かつ安定して設置が可能である載置台機能を有するかばんの提供である。
【課題を解決するための手段】
【０００７】
以上の課題を解決するため、第一の発明は、表主面側、裏主面側、上側面側、下側面側、左側面側、右側面側からなる略直方体形状のかばんであって、裏主面側と上側面側との接続辺の領域を第一辺領域、裏主面側と下側面側との接続辺の領域を第二辺領域、表主面側と上側面側との接続辺の領域を第三辺領域、表主面側と下側面側との接続辺の領域を第四辺領域、と呼称する場合に、裏主面側の第一辺領域と第二辺領域とを左側面側からの視線にてＬ字状となるかばんの一部を構成する二枚の板状体で直接又は間接に接続してＬ字横辺を構成する板状体を底辺としてかばんを斜めに立たせ、左側面側からの視線にて人字状となるかばんの一部を構成する二枚の板状体を、この人字状となる二枚の板状体の人字状の第一画の書き終わりとなる部分をなす辺（左側面側からの視線にて奥行き方向の辺）が前記Ｌ字状となる板状体の縦辺をなす板状体にて支持され、人字状第二画の書き終わりとなる部分を構成する辺（左側面側からの視線にて奥行き方向の辺）が、第三辺領域に直接又は間接に接続され、人字状第二画をなす板状体が結果として載置台に利用可能となる載置台展開機能付きかばんを提供する。
【０００８】
また、第二の発明は、表主面側、裏主面側、上側面側、下側面側、左側面側、右側面側からなる略直方体形状のかばんであって、裏主面側と上側面側との接続辺の領域を第一辺領域、裏主面側と下側面側との接続辺の領域を第二辺領域  表主面側と上側面側との接続辺の領域を第三辺領域、表主面側と下側面側との接続辺の領域を第四辺領域、と呼称する場合に、裏主面側には裏主面板状体を有し、この裏主面板状体は、裏主面側の第二辺領域にて接続される副裏主面板状体を有し、左側面側からの視線にて略Ｌ字状に展開可能であり、表主面側には、表主面板状体を有し、表主面板状体の裏側央部にて表主面板状体と略並行に格納された副表主面板状体を有し、第三辺領域を曲げることで表主面板状体を展開した際に副表主面板状体と、これに並行に重ならない領域の表主面板状体の部分とが略同一平面を構成する状態で左側面側からの視線にて人の字状となり、前記裏主面板状体と接続された副裏主面板状体の第二辺領域と対向する辺が第二辺領域と接続可能に構成され、前記表主面板状体の第三辺領域に存した辺を前記展開された裏主面板状体の略央部に接続可能であり、これによって表主面板状体の裏側であって、前記副主面板状体と並行に重なっていた部分が載置台を構成し、前記副表主面板状体が台座面後部に立設される背面を構成し、前記副裏主面板状体が底部面を構成するように構成可能な載置台展開機能付きかばんを提供する。
【発明の効果】
【０００９】
上記第一、第二の発明により、かばんの本体を展開することにより載置台を成す事が可能となる。展開したかばん本体が脚を成すため、上方からの荷重に対して強いという効果を有する。また、点ではなく、略直方体の辺領域または面領域で接地することにより、安定性が高いといった効果を有する。これにより、載置台をある程度大きくすることが可能となり、楽譜のような大きさのものでも、安定して載置することが可能となる。同時に、風などで動揺したり、倒れたりすることがない載置台を構成することが可能となる。
【図面の簡単な説明】
【００１０】
【図１】実施例１の載置台展開機能付きかばんの展開状態の形状の一例を示す斜視図
【図２】実施例１の載置台展開機能付きかばんの格納状態の形状の一例を示す斜視図
【図３】本実施例の載置台展開機能付きかばんの載置台格納状態において裏主面側から見た図
【図４】本実施例の載置台展開機能付きかばんの載置台格納状態において表主面側から見た図
【図５】実施例１の載置台展開機能付きかばんの展開中の形状の一例を示す左側面図
【図６】実施例１の載置台展開機能付きかばんの展開中の形状の一例を示す別の左側面図
【図７】実施例１の載置台展開機能付きかばんの展開状態の形状の一例を示す左側面図
【図８】実施例１の載置台展開機能付きかばんの展開状態の形状の一例を示す正面図
【符号の説明】
【００１１】
０１０１      かばん本体
０１０２      載置台
０１０３      受板
【発明を実施するための形態】
【００１２】
以下に、本発明の実施例を説明する。なお、本発明はこの実施例に何ら限定されるものではなく、その要旨を逸脱しない範囲において、種々なる態様で実施しうる。
【実施例１】
【００１３】
＜概要＞
【００１４】
図１は本実施例の載置台展開機能付きかばんの展開時の概要を示す斜視図である。この図にあるように、展開時において、かばん本体（０１０１）が載置台の脚をなしており、かばんより展開した板状体が載置台（０１０２）を成している。ここでかばん本体（０１０１）とは、後述する上側面、下側面、左側面、および右側面にて囲まれた部分を指す。載置台座面後方には板状体による立設面（点線部。図１では受板（０１０３）に隠れている。）が設けられ、横型の受板（０１０３）が面ファスナーなどで接着することにより付属している。これにより、書面やタブレット、譜面に類するものを斜めに立てかけて使用することが可能である。
【００１５】
図２は本実施例の載置台展開機能付きかばんの載置台格納時の概要を示す斜視図である。この図にあるように、載置台格納状態では略直方体形状のかばんである。この図は裏主面側（０２０１）を上にして設置している場合の斜視図である。裏主面側には展開して脚として用いる板状体をかばんに密着させて格納させるためのストラップ（０２０７）とそれを留めておくためのリング（０２０８）がある。このストラップは載置台格納時においてはリング（０２０８）に巻きつけられており、その表面または裏面に有する面ファスナーにて自己に貼着することにより固定されている。載置台組立て時においてはこのストラップは、リングより外され、後述する副裏主面板状体（０５０２）に設けられたリングに巻きつけ面ファスナーにより固定することが可能である。これにより、カバン本体と裏主面板状体（０５０１）と、副裏主面板状体（０５０２）とで略三角形を形成し、載置台の土台部分を形成することが可能である。
なお、上記の立設面に付属する横型の受板は折り曲げられ、かばん内に格納されている。この図では表主面側（０２０２）は下向きとなっており、展開して載置台を成す板状体はファスナーにより表主面側にて固定され格納されている。
【００１６】
＜構成＞
【００１７】
（載置台格納状態での各部構成）
図２を用いて、本実施例の載置台展開機能付きかばんの各部構成を説明する。本図に示すように、本実施例の載置台展開機能付きかばんは裏主面側（０２０１）、表主面側（０２０２）、上側面側（０２０３）、下側面側（０２０４）、左側面側（０２０５）、右側面側（０２０６）からなる。
【００１８】
図３は、本実施例の載置台展開機能付きかばんの載置台格納状態において裏主面側から見た図である。この図にあるように、裏主面側（０３０１）と上側面側（０３０２）との接続辺の領域を第一辺領域（０３０３）とする。また、裏主面側（０３０１）と下側面側（０３０４）との接続辺の領域を第二辺領域（０３０５）とする。
【００１９】
図４は、本実施例の載置台展開機能付きかばんの載置台格納状態において表主面側から見たである。この図にあるように、表主面側（０４０１）と上側面側（０４０２）との接続辺の領域を第三辺領域（０４０３）とする。また、表主面側（０４０１）と下側面側（０４０４）との接続辺の領域を第四辺領域（０４０５）とする。
【００２０】
格納時は表主面側（０４０１）に属する板状体がかばんの蓋として機能する。従って、格納時は相当量の物品を格納することが可能である。蓋はファスナー（０４０６、実線部がファスナーを有する範囲）などで閉じることが可能である。展開時においては表主面板状体として機能する。具体的には、央部（０４０７、点線部）にて折り曲げられ、上半分の部分が載置台の台座部分を構成し、下半分が載置台の脚として裏主面板状体の略央部に表主面板状体の第四辺領域（０４０５）の近傍に設けられた面ファスナー（０４０８）などにより貼着され、接続されることとなる。
【００２１】
（展開中の各部構成）
図５は本実施例の実施例１の載置台展開機能付きかばんの展開中の形状の一例を示す左側面図である。この図にあるように、裏主面側のかばんの一部を構成するＬ字状となる二枚の板状体（０５０１、０５０２）が、第一辺領域（０５０３）と第二辺領域（０５０４）とを、直接又は間接に接続している。これにより、かばん本体（０５０５）を斜めに立たせ、側面からの視線にて二枚の板状体とかばん本体とで略三角形をなす。
【００２２】
Ｌ字状となる二枚の板状体（０５０１、０５０２）のなす角は略６０度であると正面および背面方向の動揺に強く、かつある程度高さのある安定した載置台を構成することが可能であり望ましい。
【００２３】
Ｌ字状となる二枚の板状体は、裏主面板状体（０５０１）と、副裏主面板状体（０５０２）を構成していてもよい。両者は格納時に第二辺領域（０５０４）にて互いに接続されていてもよい。この場合二枚の板状体の接続部にて折り目（０５０６）が設けられ、かばん展開時には折り目にて折り曲げられ、左側面側からの視線により略Ｌ字状となる。格納時においてはＬ字の角部分、すなわち接続部の折り目（０５０６）をさらに折り曲げて格納する。Ｌ字の横画部分は副裏主面板状体（０５０２）として裏主面板状体（０５０１）と密着することで格納することが可能となる。使用時においては、裏主面板状体（０５０１）をまず展開し、次いで裏主面板状体に接続され、裏主面側に折り曲げられていることで密着している副裏主面板状体（０５０２）を展開することで、図５に示すような略Ｌ字状に展開することが可能である。さらに、第４辺領域から伸びたストラップ（０５０７）を副裏主面に設けられたリング（０５０８）に巻きつけて、面ファスナーにて自己に貼着することで第二辺領域と副裏主面板状体を接続することが可能である。
【００２４】
図６は、本実施例の載置台展開機能付きかばんの展開中の形状の別の一例を示す左側面図である。この図に示すように、かばんの蓋となっている表主面側（０６０１）に属する二枚の板状体である表主面板状体（０６０２）と、副表主面板状体（０６０３）とを引き出すことで展開する。この二枚の板状体は表主面板状体（０６０２）の央部に副表主面板状体（０６０３）が接続され、左側面からの視線で人字状を成す。人字の第一画をなす部分（０６０４）は、その書き終わりを成す辺（０６０５）（左側面側からの視線にて奥行き方向の辺）を上記Ｌ字状をなす裏主面板状体の縦辺（０６０６）に向けて引き出す。本図においては、表主面板状体（０６０２）と、副表主面板状体（０６０３）とがあらかじめ接続されており、これらを展開することにより組立てを行うといった態様となっているが、二枚の板状体が接続されず独立しており、展開時に上記人字状に組立てる構成をとってもよい。
【００２５】
（展開後の各部構成）
図７は、本実施例の載置台展開機能付きかばんの展開状態の形状の一例を示す左側面図である。この図にあるように、左側面側からの視線にて人字状となるかばんの一部を構成する二枚の板状体（０７０１、０７０２）のうち、人字状の第一画の書き終わりとなる部分をなす辺（左側面側からの視線にて奥行き方向の辺）（０７０３）が上記Ｌ字状となる板状体の縦辺をなす裏主面板状体（０７０４）にて支持される。ここでの支持固定は第一画を成す板状体に設けられた面ファスナーを、裏主面板状体央部に設けられた面ファスナーに貼着することで行われるが、金具、ホックなど他の方法を用いて固定されていてもよい。人字状第二画の書き終わりとなる部分を構成する辺（０７０５）（左側面側からの視線にて奥行き方向の辺）は、かばん本体の第三辺領域に直接又は間接に接続され、人字状第二画をなす表主面板状体の部分（０７０７）が結果として載置台に利用可能となっている。
【００２６】
上記構成はあくまで一例であり、さらに具体的には次のような態様をとることも考えられる。すなわち、二枚の板状体（０７０１、０７０２）が表主面板状体（０７０１）と副表主面板状体（０７０２）とを構成する態様である。副表主面板状体（０７０２）が格納状態で表主面板状体（０７０１）の裏側央部にて表主面板状体（０７０１）と略並行に格納されている態様が考えられる。ちなみに、副表主面板状体（０７０２）は表主面板状体（０７０１）と表主面板状体央部にて接続されていてもよい。この場合において、展開時に第三辺領域を曲げることで展開すると、副表主面板状体（０７０２）と、格納時においてこれに並行に重ならない表主面板状体の領域（０７０６）とが略同一平面を構成する状態で左側面側からの視線で人の字状となる。この二枚の板状体（０７０２、０７０６）が略同一平面をなすために、両者に一枚のプラスティックや木材などの可撓性の低い芯材が貫通している構造であってもよい。格納時において表主面側の第四辺領域に存した辺、すなわち人字状の第一画の書き終わりとなる部分（０７０３）を成す辺は、Ｌ字状となる板状体の縦片をなす裏主面板状体（０７０４）の略央部に接続することが可能である。これにより、表主面板状体（０７０１）が直接に、副表主面板状体（０７０２）が間接に支持される。そして、格納時において表主面板状体の裏側であって、副表主面板状体と並行に重なっていた部分（０７０７）が載置台の台座部分を構成し、副表主面板状体（０７０２）が、台座面後部に立設される背面部分を構成する。
【００２７】
底面はＬ字横辺を構成する板状体（０７０８）（具体的には副裏主面板状体）により構成される。当該板状体（０７０８）は第二辺領域（０７０９）と直接又は間接に接続される。図７では直接に接続されておらず、第二辺領域（０７０９）より伸びたストラップを副裏主面板状体（０７０８）に設けられたリングに固定することにより間接的に接続されている。これにより、上部からの荷重がかかった際にかばん本体（０７１０）と二枚の板状体（０７０４、０７０８）で形成される略三角形が崩れて押し潰されることを防いでいる。
【００２８】
（かばんの素材）
かばん本体は、耐水性の高い生地によって縫製されていてもよい。表主面側、副表主面側、裏主面側、副裏主面側の各側に属する板状体は可撓性の低い木板や樹脂板を芯材としており、これにより各部の強度が高まる。これらは載置台やＬ字状の脚を構成する部分であり、強度が高まると、より上方からの荷重に対して頑健となり望ましい。
【００２９】
（かばんの大きさ）
かばんの大きさは格納対象物品により変わる。例えばかばんの用途が譜面台であるとすると、一般的な譜面等が格納できるようなサイズである略４００ｍｍ×略２５０ｍｍ程度以上のサイズであるとよい。さらにドラムスティック（長さ４００ｍｍ程度）などを格納する場合には縦が略４５０ｍｍ程度以上あるとよい。
【００３０】
（付属物）
図８は、本実施例の載置台展開機能付きかばんの展開状態の形状の一例を示す正面図である。この図にあるように、副表主面板状体により台座面後部に立設された背面上に横型の受板（０８０１）が付属している。この受板は背面に袋状の差込部分があり、この部分に副表主面板状体を差し込むことにより固定されている。なおこの固定の態様は一例であり、面ファスナーなどで受板を背面に直接貼着する態様でも構わない。この受板により楽譜のような展開面積の大きい物を斜めに載置することが可能である。上記受板下部に面ファスナーにて帯状の突起（０８０２）を形成することが可能であり、この突起により載置物がずれ落ちるのを防ぐことができる。かばんの中には小物入れが設けてある。手前側の小物入れ（０８０３）はメッシュで構成されており、内容物が見通せることができる。奥側の小物入れ（０８０４）は、比較的長いものを格納するのに適している。例えばパーカッション用のスティックなどを格納することができる。奥側の小物入れ（０８０４）はスティックの長さの半分以上の深さを有しているとスティックを入れた時にこぼれ出ることがなく好適である。
＜効果＞
【００３１】
本実施例の発明により、カバン本体と合計４枚の板状体とにて、載置台を構成することが可能である。具体的には２枚の板状体が略Ｌ字状をなすことで、カバン本体とで載置台の脚を成すことが可能である。残り２枚の板状体を左側面よりの視線にて人字状に配置することで載置台の台座とその後部に立設する背面を構成することができる。これにより、格納時のかばんに比較して大きい物を載置することが可能であり、かつ安定した設置をすることができる。
【図１】
2017185051.tif 000003
【図２】
2017185051.tif 000004
【図３】
2017185051.tif 000005
【図４】
2017185051.tif 000006
【図５】
2017185051.tif 000007
【図６】
2017185051.tif 000008
【図７】
2017185051.tif 000009
【図８】
2017185051.tif 000010